(57)【要約】【課題】解答を文字認識処理で読み取れない場合にも採点する。【解決手段】画像形成装置１００は、制御部５を備える。制御部５は、読取部５０１、文字認識部５０２、採点部５０５、及び通知部５０４を備える。読取部５０１は、問題ＰＲに対する解答ＡＮが記入された原稿Ｒの画像を読み取り、画像情報ＭＪを生成する。文字認識部５０２は、画像情報ＭＪに対して文字認識処理を施し、解答ＡＮに対応するテキストデータＡＮＪを生成する。採点部５０５は、テキストデータＡＮＪに基づき、解答ＡＮを採点する。通知部５０４は、文字認識処理においてテキストデータＡＮＪを生成できない場合に、スマートフォン３００に解答ＡＮを採点できない旨を通知する。【選択図】図３
2018170660.tif 000002
【特許請求の範囲】
【請求項１】
問題に対する解答が記入された記録媒体の画像を読み取り、画像情報を生成する読取部と、
前記画像情報に対して文字認識処理を施し、前記解答に対応するテキストデータを生成する文字認識部と、
前記テキストデータに基づき、前記解答を採点する採点部と、
前記文字認識処理において前記テキストデータを生成できない場合に、所定の端末装置に前記解答を採点できない旨を通知する通知部と
を備える、画像読取装置。
【請求項２】
前記通知部は、前記文字認識処理において前記テキストデータを生成できない場合に、解答画像情報のアクセス先を示す第１リンク情報を前記所定の端末装置に送信し、
前記解答画像情報は、前記テキストデータを生成できないと判断された前記解答の画像を示す、請求項１に記載の画像読取装置。
【請求項３】
複数枚の前記記録媒体には、前記問題の識別情報を示す問題識別画像がそれぞれ形成され、
前記複数枚の前記記録媒体には、前記問題に対する前記解答がそれぞれ記入され、
前記読取部は、前記複数枚の前記記録媒体の画像を読み取り、複数の前記画像情報を生成し、
前記文字認識部は、前記複数の前記画像情報に対して前記文字認識処理を施し、前記問題識別画像に対応する前記問題の識別情報を生成し、
前記通知部は、同一の前記問題の識別情報に関する複数の前記解答画像情報にそれぞれ対応する前記第１リンク情報をまとめて前記所定の端末装置に送信する、請求項２に記載の画像読取装置。
【請求項４】
複数枚の前記記録媒体には、解答者の識別情報を示す解答者識別画像がそれぞれ記入され、
前記複数枚の前記記録媒体には、前記問題に対する前記解答がそれぞれ記入され、
前記解答者は、前記解答を前記記録媒体に記入した者を示し、
前記読取部は、前記複数枚の前記記録媒体の画像を読み取り、複数の前記画像情報を生成し、
前記文字認識部は、前記複数の前記画像情報に対して前記文字認識処理を施し、前記解答者識別画像に対応する前記解答者の識別情報を生成し、
前記通知部は、同一の前記解答者の識別情報に関する複数の前記解答画像情報にそれぞれ対応する前記第１リンク情報をまとめて前記所定の端末装置に送信する、請求項２又は請求項３に記載の画像読取装置。
【請求項５】
前記通知部は、前記文字認識処理において前記テキストデータを生成できない場合に、問題情報のアクセス先を示す第２リンク情報を前記所定の端末装置に送信し、
前記問題情報は、前記テキストデータを生成できないと判断された解答に対応する問題を示す、請求項２から請求項４のいずれか１項に記載の画像読取装置。
【請求項６】
前記問題情報をサーバー装置から取得する第１取得部を更に備え、
前記記録媒体には、前記問題の識別情報を示す問題識別画像が形成され、
前記文字認識部は、前記画像情報に対して前記文字認識処理を施し、前記問題識別画像に対応する前記問題の識別情報を生成し、
前記第１取得部は、前記問題の識別情報に基づいて、前記問題情報を前記サーバー装置から取得し、
前記通知部は、前記取得部が取得した前記問題情報を前記所定の端末装置に送信する、請求項５に記載の画像読取装置。
【請求項７】
前記通知部は、前記文字認識処理において前記テキストデータを生成できない場合に、模範解答情報のアクセス先を示す第３リンク情報を前記所定の端末装置に送信し、
前記模範解答情報は、前記テキストデータを生成できないと判断された解答に対応する模範解答を示す、請求項２から請求項６のいずれか１項に記載の画像読取装置。
【請求項８】
前記模範解答情報をサーバー装置から取得する第２取得部を更に備え、
前記記録媒体には、前記問題の識別情報を示す問題識別画像が形成され、
前記読取部は、前記記録媒体の画像を読み取り、画像情報を生成し、
前記文字認識部は、前記画像情報に対して前記文字認識処理を施し、前記問題識別画像に対応する前記問題の識別情報を生成し、
前記第２取得部は、前記問題の識別情報に基づいて、前記模範解答情報を前記サーバー装置から取得し、
前記通知部は、前記第２取得部が取得した前記模範解答情報を前記所定の端末装置に送信する、請求項７に記載の画像読取装置。
【請求項９】
前記採点部は、前記所定の端末装置からの応答を受信し、前記応答に基づき前記解答を採点する、請求項１から請求項８のいずれか１項に記載の画像読取装置。
【請求項１０】
問題に対する解答が記入された記録媒体の画像を読み取り、画像情報を生成する読取部と、
前記画像情報に対して文字認識処理を施し、前記解答に対応するテキストデータを生成する文字認識部と、
前記テキストデータに基づき、前記解答を採点する採点部と、
前記文字認識処理において前記テキストデータを生成できない場合に、所定の端末装置に前記解答を採点できない旨を通知する通知部と
を備える、画像形成装置。
【請求項１１】
前記解答の開始時刻から終了時刻までの期間を示す解答時間を測定する測定部と、
前記解答時間と、前記解答が正解である確率を示す正答率とに基づき得意分野、及び不得意分野を判定する判定部と、
前記不得意分野に含まれる問題を示す問題情報をサーバー装置から取得する第３取得部と、
前記第３取得部が取得した前記問題情報を示す問題画像を記録媒体に形成する画像形成部と
を更に備える、請求項１０に記載の画像形成装置。
【発明の詳細な説明】
【技術分野】
【０００１】
本発明は、画像読取装置、及び画像形成装置に関する。
【背景技術】
【０００２】
特許文献１に記載の画像処理装置は、画像読取手段、画像記憶手段、問題認識手段、解答認識手段、正解保持手段、及び採点手段を備える。画像読取手段は、答案用紙の画像を読み取り、画像情報を生成する。画像記憶手段は、画像情報を記憶する。問題認識手段は、画像情報から出題された問題を認識する。正解保持手段は、問題認識手段が認識した問題に対する正解を保持する。解答認識手段は、問題に対する解答の文字，記号又はマークを認識する。採点手段は、解答と正解とを比較して解答の正否を判定し、採点する。
【先行技術文献】
【特許文献】
【０００３】
【特許文献１】特開平７−１９９７９４号公報
【発明の概要】
【発明が解決しようとする課題】
【０００４】
特許文献１に記載の画像処理装置によれば、解答の画像情報が文字認識処理で読み取れない場合には、採点ができない可能性がある。すなわち、解答は、解答者が手書きするため、文字認識が困難な場合がある。例えば、解答が何度も消されて、用紙の汚れが著しい場合には、文字認識ができない可能性がある。また、例えば、解答の文字が歪んでいるために、文字認識ができない可能性がある。
【０００５】
本発明は、上記課題に鑑みてなされたものであり、解答を文字認識処理で読み取れない場合にも採点が可能な画像読取装置、及び画像形成装置を提供することを目的としている。
【課題を解決するための手段】
【０００６】
本発明の画像読取装置は、読取部、文字認識部、採点部、及び通知部を備える。前記読取部は、問題に対する解答が記入された記録媒体の画像を読み取り、画像情報を生成する。前記文字認識部は、前記画像情報に対して文字認識処理を施し、前記解答に対応するテキストデータを生成する。前記採点部は、前記テキストデータに基づき、前記解答を採点する。前記通知部は、前記文字認識処理において前記テキストデータを生成できない場合に、所定の端末装置に前記解答を採点できない旨を通知する。
【０００７】
本発明の画像形成装置は、読取部、文字認識部、採点部、及び通知部を備える。前記読取部は、問題に対する解答が記入された記録媒体の画像を読み取り、画像情報を生成する。前記文字認識部は、前記画像情報に対して文字認識処理を施し、前記解答に対応するテキストデータを生成する。前記採点部は、前記テキストデータに基づき、前記解答を採点する。前記通知部は、前記文字認識処理において前記テキストデータを生成できない場合に、所定の端末装置に前記解答を採点できない旨を通知する。
【発明の効果】
【０００８】
本発明の画像読取装置、及び画像形成装置によれば、解答を文字認識処理で読み取れない場合にも採点できる。
【図面の簡単な説明】
【０００９】
【図１】本発明の実施形態に係る画像形成装置の接続状態を示す図である。
【図２】本発明の実施形態に係る画像形成装置の構成を示す斜視図である。
【図３】本発明の実施形態に係る制御部の構成を示す図である。
【図４】サーバー装置が記憶している問題情報の一例を示す図である。
【図５】解答用紙の一例を示す図である。
【図６】スマートフォンに表示される通知画面の一例を示す画面図である。
【図７】図６とは別の通知画面を示す画面図である。
【図８】図６及び図７とは別の通知画面を示す画面図である。
【図９】制御部の処理の一例を示すフローチャートである。
【図１０】制御部の問合せ処理の一例を示すフローチャートである。
【図１１】制御部の問題生成処理の一例を示すフローチャートである。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して、本発明の実施形態に係る画像形成装置１００の接続状態について説明する。図１に示すように、画像形成装置１００は、ネットワーク４００を介して、サーバー装置２００及びスマートフォン３００と通信可能に接続される。
【００１２】
画像形成装置１００は、いわゆる、複合機であって、通信機能を有する。画像形成装置１００は、ネットワーク４００を介して、サーバー装置２００との間で種々の情報の送受信を行う。
【００１３】
サーバー装置２００は、いわゆるデータサーバー装置であって、種々の情報を記憶する。サーバー装置２００は、画像形成装置１００からの要求に応じて種々の情報を画像形成装置１００に送信する。また、サーバー装置２００は、画像形成装置１００から送信された種々の情報を記憶する。
【００１４】
スマートフォン３００は、無線通信機能を有する。スマートフォン３００は、「所定の端末装置」の一例に相当する。スマートフォン３００は、画像形成装置１００から問合せ情報を受信する。スマートフォン３００は、入力された応答情報を画像形成装置１００に送信する。スマートフォン３００は、例えば、学校の先生によって使用される。
【００１５】
ネットワーク４００は、例えば、インターネットである。ネットワーク４００は、インターネットに限定されない。ネットワーク４００が、ＬＡＮ（Ｌｏｃａｌ  Ａｒｅａ  Ｎｅｔｗｏｒｋ）である形態でもよいし、ネットワーク４００が、ＷＡＮ（Ｗｉｄｅ  Ａｒｅａ  Ｎｅｔｗｏｒｋ）である形態でもよい。
【００１６】
以上、図１を参照して説明したように、本発明の実施形態では、「所定の端末装置」がスマートフォン３００であるが、本発明はこれに限定されない。「所定の端末装置」は、画像形成装置１００と通信可能に接続されていればよい。「所定の端末装置」は、例えば、パーソナルコンピューターでもよいし、タブレット端末装置でもよい。
【００１７】
次に、図１及び図２を参照して、本実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１８】
図２に示すように、画像形成装置１００は、画像形成ユニット１、画像読取ユニット２、原稿搬送ユニット３、操作表示部４、及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。制御部５は、画像形成装置１００の動作を制御する。画像読取ユニット２及び制御部５は、「画像読取装置」を構成する。画像形成ユニット１は、「画像形成部」の一部に相当する。
【００１９】
画像形成ユニット１は、給送部１２、搬送部Ｌ、トナー供給部１３、形成実行部１４、定着部１６及び排出部１７を備える。形成実行部１４は、転写部１５を含む。
【００２０】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００２１】
トナー供給部１３は、形成実行部１４にトナーを供給する。形成実行部１４は、用紙Ｐに画像を形成する。
【００２２】
転写部１５は、中間転写ベルト１５４を備える。形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２３】
定着部１６は、用紙Ｐを加熱及び加圧し、用紙Ｐに形成された画像を用紙Ｐに定着する。排出部１７は、用紙Ｐを画像形成装置１００の外部へ排出する。
【００２４】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ、及びイメージセンサーを備え、これらの各部材が一体化されたＣＩＳ（Ｃｏｎｔａｃｔ  Ｉｍａｇｅ  Ｓｅｎｓｏｒ）ユニットである。
【００２５】
操作表示部４は、ユーザーからの操作を受け付ける。操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２６】
制御部５は、プロセッサー５Ａ及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００２７】
次に、図１〜図３を参照して、本発明の実施形態に係る制御部５の構成について説明する。図３は、制御部５の構成を示す図である。
【００２８】
図３に示すように、制御部５は、読取部５０１、文字認識部５０２、取得部５０３、通知部５０４、採点部５０５、測定部５０６、判定部５０７及び指示部５０８を備える。具体的には、プロセッサー５Ａは、制御プログラムを実行することによって、読取部５０１、文字認識部５０２、取得部５０３、通知部５０４、採点部５０５、測定部５０６、判定部５０７及び指示部５０８として機能する。
【００２９】
読取部５０１は、原稿Ｒに形成された画像を読み取り、画像情報ＭＪを生成する。具体的には、読取部５０１は、画像読取ユニット２を介して、原稿Ｒに形成された画像を読み取り、画像情報ＭＪを生成する。原稿Ｒには、問題ＰＲに対する解答ＡＮが記入されている。読取部５０１は、解答画像ＭＡを示す画像情報を生成する。解答画像ＭＡは、解答ＡＮの画像を示す。
【００３０】
文字認識部５０２は、画像情報ＭＪに対して文字認識処理を施し、解答ＡＮに対応するテキストデータＡＮＪを生成する。文字認識処理とは、いわゆるＯＣＲ（Ｏｐｔｉｃａｌ  Ｃｈａｒａｃｔｅｒ  Ｒｅｃｏｇｎｉｔｉｏｎ）処理を示す。
【００３１】
取得部５０３は、問題情報ＰＲＪをサーバー装置２００から取得する。具体的には、取得部５０３は、問題識別情報ＰＩＤに基づいて、問題情報ＰＲＪをサーバー装置２００から取得する。問題識別情報ＰＩＤは、問題ＰＲを識別する情報を示す。問題情報ＰＲＪは、問題ＰＲを示す。取得部５０３は、「第１取得部」の一例に相当する。
【００３２】
また、取得部５０３は、不得意分野に含まれる問題ＰＲを示す問題情報ＰＲＪをサーバー装置２００から取得する。取得部５０３は、「第３取得部」の一例に相当する。
【００３３】
通知部５０４は、文字認識処理においてテキストデータＡＮＪを生成できない場合に、解答ＡＮを採点できない旨をスマートフォン３００に通知する。また、通知部５０４は、問題情報ＰＲＪ及び模範解答情報ＡＳＪをスマートフォン３００に送信する。
【００３４】
採点部５０５は、テキストデータＡＮＪに基づき、解答ＡＮを採点する。
【００３５】
測定部５０６は、解答者が解答ＡＮを開始した時刻から、解答者が解答ＡＮを終了した時刻までの時間を示す解答時間ＡＮＴを測定する。例えば、ユーザーによるタッチパネル４１の操作に基づいて、測定部５０６は、解答時間ＡＮＴを測定する。具体的には、ユーザーがタッチパネル４１を介して、解答ＡＮの開始時刻と、解答ＡＮの終了時刻とを入力する。測定部５０６は、入力された開始時刻及び終了時刻に基づき、解答時間ＡＮＴを算出する。
【００３６】
判定部５０７は、解答時間ＡＮＴと正答率ＣＲとに基づき得意分野、及び不得意分野を判定する。正答率ＣＲは、解答ＡＮが正解である確率を示す。
【００３７】
指示部５０８は、取得部５０３が取得した問題情報ＰＲＪを示す問題画像ＭＰＲを用紙Ｐに形成するよう画像形成ユニット１に対して指示する。指示部５０８は、「画像形成部」の一部に相当する。
【００３８】
以上、図１〜図３を参照して説明したように、本発明の実施形態では、原稿Ｒに記入された解答ＡＮに対応するテキストデータＡＮＪを生成できない場合に、解答ＡＮを採点できない旨を通知部５０４がスマートフォン３００に通知する。よって、例えば、スマートフォン３００の使用者が、解答ＡＮの正否を判断して、解答ＡＮの正否を画像形成装置１００に入力することが可能になる。したがって、解答ＡＮを文字認識処理で読み取れない場合にも採点できる。
【００３９】
また、測定部５０６が、解答時間ＡＮＴを測定し、判定部５０７が、解答時間ＡＮＴと正答率ＣＲとに基づき、解答ＡＮに対応する問題ＰＲの属する分野が得意分野であるか、不得意分野であるかを判定する。具体的には、正答率ＣＲが所定値以下である場合には、判定部５０７は問題ＰＲの属する分野が不得意分野であると判定する。また、正答率ＣＲが所定値以上であっても、解答時間ＡＮＴが所定時間以上である場合には、問題ＰＲの属する分野が不得意分野であると判定する。したがって、得意分野、及び不得意分野を適正に判定できる。
【００４０】
次に、図１〜図４を参照して、サーバー装置２００が記憶している問題情報ＰＲＪについて説明する。図４は、サーバー装置２００が記憶している問題情報ＰＲＪの一例を示す図である。
【００４１】
図４に示すように、問題情報ＰＲＪは、分野情報ＦＪ、問題識別情報ＰＩＤ、及び模範解答情報ＡＳＪと対応付けてサーバー装置２００に記憶されている。本発明の実施形態では、問題ＰＲが、算数の問題である場合について説明する。
【００４２】
分野情報ＦＪは、算数の分野を示す。例えば、分野情報ＦＪは、計算、文章題、平面図形、及び立体図形のような分野を示す。
【００４３】
問題識別情報ＰＩＤは、問題ＰＲを識別する情報であって、本発明の実施形態では、科目が算数であることを示すアルファベット「Ｍ」と、３桁の番号とから構成されている。例えば、計算の問題ＰＲには、「Ｍ−１０１」、「Ｍ−１０２」のような識別番号が付与されている。また、例えば、平面図形の問題ＰＲには、「Ｍ−３０１」、「Ｍ−３０２」のような識別番号が付与されている。
【００４４】
問題情報ＰＲＪは、問題ＰＲを示すテキスト情報である。例えば、問題識別情報ＰＩＤが「Ｍ−１０１」である場合に対応する問題情報ＰＲＪは、「Ｐ１」である。また、例えば、問題識別情報ＰＩＤが「Ｍ−３０２」である場合に対応する問題情報ＰＲＪは、「Ｒ２」である。
【００４５】
模範解答情報ＡＳＪは、問題ＰＲの模範解答ＡＳを示すテキスト情報である。例えば、問題識別情報ＰＩＤが「Ｍ−１０１」である場合に対応する模範解答情報ＡＳＪは、「Ａ１」である。また、例えば、問題識別情報ＰＩＤが「Ｍ−３０２」である場合に対応する模範解答情報ＡＳＪは、「Ｃ２」である。
【００４６】
以上、図１〜図４を参照して説明したように、本発明の実施形態では、サーバー装置２００が問題識別情報ＰＩＤに対応付けて、問題情報ＰＲＪ及び模範解答情報ＡＳＪを記憶しているため、問題識別情報ＰＩＤをサーバー装置２００に送信することによって、問題識別情報ＰＩＤに対応する問題情報ＰＲＪ及び模範解答情報ＡＳＪを容易に取得できる。
【００４７】
次に、図１〜図５を参照して、解答用紙５５０の一例について説明する。図５は、解答用紙５５０の一例を示す図である。図５に示すように、解答用紙５５０には、第１問題欄５５１、第２問題欄５５２、第３問題欄５５３、第１解答欄５６１、第２解答欄５６２、第３解答欄５６３及び氏名欄５６０が印刷されている。
【００４８】
第１問題欄５５１には、第１問の問題文Ｐ１１と問題識別番号ＩＤＰ１とが印刷されている。問題識別番号ＩＤＰ１は、「Ｍ−１１１」と印刷され、図４に示す分野情報ＦＪが「計算」を示す問題ＰＲのうち、１１番目の問題ＰＲであることが判る。また、問題文Ｐ１１は、問題識別番号ＩＤＰ１に対応する問題情報ＰＲＪを示す。
【００４９】
第２問題欄５５２には、第２問の問題文Ｑ１と問題識別番号ＩＤＰ２とが印刷されている。問題識別番号ＩＤＰ２は、「Ｍ−２０１」と印刷され、図４に示す分野情報ＦＪが「文章題」を示す問題ＰＲのうち、１番目の問題ＰＲであることが判る。また、問題文Ｑ１は、問題識別番号ＩＤＰ２に対応する問題情報ＰＲＪを示す。
【００５０】
第３問題欄５５３には、第３問の問題文Ｒ４５と問題識別番号ＩＤＰ３とが印刷されている。問題識別番号ＩＤＰ３は、「Ｍ−３４５」と印刷され、図４に示す分野情報ＦＪが「平面図形」を示す問題ＰＲのうち、４５番目の問題ＰＲであることが判る。また、問題文Ｒ４５は、問題識別番号ＩＤＰ３に対応する問題情報ＰＲＪを示す。
【００５１】
第１解答欄５６１には、解答者によって、第１問題欄５５１に印刷された第１問の問題文Ｐ１１に対する解答ＡＮが記入される。第２解答欄５６２には、解答者によって、第２問題欄５５２に印刷された第２問の問題文Ｑ１に対する解答ＡＮが記入される。
【００５２】
第３解答欄５６３には、式記入欄５６３ａと答記入欄５６３ｂとが印刷されている。式記入欄５６３ａには、解答者によって、第３問題欄５５３に印刷された第３問の問題文Ｒ４５に対する解答ＡＮを導くための式が記入される。答記入欄５６３ｂには、解答者によって、第３問題欄５５３に印刷された第３問の問題文Ｒ４５に対する解答ＡＮが記入される。
【００５３】
氏名欄５６０には、解答者によって、解答者の氏名が記入される。氏名は、解答者識別情報ＡＩＤに対応する。取得部５０３は、氏名欄５６０に記入された解答者の氏名の画像情報に基づき、解答者識別情報ＡＩＤを取得する。
【００５４】
以上、図１〜図５を参照して説明したように、本発明の実施形態では、解答用紙５５０に問題識別情報ＰＩＤを示す問題識別番号ＩＤＰ１〜問題識別番号ＩＤＰ３が印刷されているため、取得部５０３は、サーバー装置２００から問題情報ＰＲＪ及び模範解答情報ＡＳＪを容易に取得できる。
【００５５】
具体的には、問題識別番号ＩＤＰ１〜問題識別番号ＩＤＰ３を示す画像情報を読取部５０１が生成する。そして、文字認識部５０２が画像情報に文字認識処理を施し、問題識別情報ＰＩＤを示すテキストデータを生成する。更に、取得部５０３が、問題識別情報ＰＩＤをサーバー装置２００に送信し、サーバー装置２００から問題識別情報ＰＩＤに対応する問題情報ＰＲＪ及び模範解答情報ＡＳＪを受信する。
【００５６】
また、取得部５０３が、問題識別情報ＰＩＤに基づいて、問題情報ＰＲＪをサーバー装置２００から取得し、通知部５０４は、サーバー装置２００から取得した問題情報ＰＲＪをスマートフォン３００に送信する。したがって、解答ＡＮに対応する問題情報ＰＲＪをスマートフォン３００に確実に送信できる。
【００５７】
更に、取得部５０３は、問題識別情報ＰＩＤに基づいて、模範解答情報ＡＳＪをサーバー装置２００から取得し、通知部５０４は、サーバー装置２００から取得した模範解答情報ＡＳＪをスマートフォン３００に送信する。したがって、解答ＡＮに対応する模範解答情報ＡＳＪをスマートフォン３００に確実に送信できる。
【００５８】
次に、図１〜図６を参照して、スマートフォン３００に表示される通知画面６００の一例について説明する。図６は、スマートフォン３００のタッチパネルに表示される通知画面６００の一例を示す画面図である。図６に示すように、通知画面６００には、第１表示部６１０と、第２表示部６２０とが表示されている。
【００５９】
第１表示部６１０は、第１メッセージ表示部６１１、解答リンク表示部６１２、問題リンク表示部６１３、模範解答リンク表示部６１４、第２メッセージ表示部６１５及び状態表示部６１６を含む。
【００６０】
第１メッセージ表示部６１１は、スマートフォン３００の使用者に対して、解答を採点できない旨を表示する。具体的には、第１メッセージ表示部６１１には、「この解答が読み取れません。」と表示され、文字認識処理において解答画像ＭＡに対応するテキストデータを生成できないことを示している。
【００６１】
解答リンク表示部６１２は、文字認識処理においてテキストデータが生成できない解答画像情報ＭＡＪのアクセス先を表示する。解答画像情報ＭＡＪのアクセス先は、「第１リンク情報」に対応する。ユーザーが解答リンク表示部６１２をタッチすると、スマートフォン３００は、解答画像情報ＭＡＪを画像形成装置１００から取得し、解答画像ＭＡをタッチパネルに表示する。
【００６２】
具体的には、通知部５０４は、文字認識処理においてテキストデータを生成できない場合に、解答画像情報ＭＡＪのアクセス先を示す第１リンク情報ＬＮ１をスマートフォン３００に送信する。スマートフォン３００は、解答リンク表示部６１２に、第１リンク情報ＬＮ１を示す画像を表示する。
【００６３】
問題リンク表示部６１３は、解答リンク表示部６１２に示す解答ＡＮに対応する問題ＰＲのアクセス先を表示する。問題ＰＲのアクセス先は、「第２リンク情報」に対応する。ユーザーが問題リンク表示部６１３をタッチすると、スマートフォン３００は、問題情報ＰＲＪを画像形成装置１００から取得し、問題情報ＰＲＪを示す画像をタッチパネルに表示する。
【００６４】
具体的には、通知部５０４は、文字認識処理においてテキストデータを生成できない場合に、問題情報ＰＲＪのアクセス先を示す第２リンク情報ＬＮ２をスマートフォン３００に送信する。問題情報ＰＲＪは、テキストデータを生成できないと判断された解答ＡＮに対応する問題ＰＲを示す。スマートフォン３００は、問題リンク表示部６１３に、第２リンク情報ＬＮ２を示す画像を表示する。
【００６５】
模範解答リンク表示部６１４は、解答リンク表示部６１２に示す解答ＡＮに対応する模範解答ＡＳのアクセス先を表示する。模範解答ＡＳのアクセス先は、「第３リンク情報」に対応する。ユーザーが模範解答リンク表示部６１４をタッチすると、スマートフォン３００は、模範解答情報ＡＳＪを画像形成装置１００から取得し、模範解答情報ＡＳＪを示す画像をタッチパネルに表示する。
【００６６】
具体的には、通知部５０４は、文字認識処理においてテキストデータを生成できない場合に、模範解答情報ＡＳＪのアクセス先を示す第３リンク情報ＬＮ３をスマートフォン３００に送信する。模範解答情報ＡＳＪは、テキストデータを生成できないと判断された解答ＡＮに対応する模範解答ＡＳを示す。スマートフォン３００は、模範解答リンク表示部６１４に、第３リンク情報ＬＮ３を示す画像を表示する。
【００６７】
第２メッセージ表示部６１５は、スマートフォン３００の使用者に対して、解答ＡＮの採点を依頼する旨を表示する。具体的には、第２メッセージ表示部６１５には、「正解の場合は○、不正解の場合は×をタッチしてください。」と表示され、スマートフォン３００の使用者に対して、「○」又は「×」をタッチして採点するよう促す。
【００６８】
状態表示部６１６は、第１表示部６１０の状態を表示する。具体的には、状態表示部６１６は、画像形成装置１００から解答画像情報ＭＡＪのアクセス先、問題ＰＲのアクセス先、及び模範解答ＡＳのアクセス先を受信した日付、及びスマートフォン３００の使用者が応答したか否かを表示する。例えば、日付は、「１０月１５日」であり、応答したか否かは、「応答済」である。
【００６９】
第２表示部６２０にも、第１表示部６１０と同様の内容が表示される。すなわち、第２表示部６２０は、第１メッセージ表示部６２１、解答リンク表示部６２２、問題リンク表示部６２３、模範解答リンク表示部６２４、第２メッセージ表示部６２５及び状態表示部６２６を含む。
【００７０】
第２表示部６２０は、第１表示部６１０と比較して、スマートフォン３００の使用者が応答していない点において相違している。すなわち、状態表示部６２６には、「未応答」と表示されている。
【００７１】
第１表示部６１０の応答が完了しており、第２表示部６２０の応答が完了していないことを示すために、第１表示部６１０は第２表示部６２０と表示色が相違している。例えば、第１表示部６１０は黒色で表示され、第２表示部６２０は赤色で表示される。表示色が異なることを、図６では、第１表示部６１０を破線で囲み、第２表示部６２０を実線で囲むことで示している。
【００７２】
以上、図１〜図６を参照して説明したように、本発明の実施形態では、通知部５０４は、解答画像情報ＭＡＪのアクセス先を示す第１リンク情報ＬＮ１をスマートフォン３００に送信する。解答画像情報ＭＡＪは、テキストデータを生成できないと判断された解答ＡＮの画像を示す。よって、スマートフォン３００の使用者が、解答ＡＮの画像に基づいて解答ＡＮの正否を判断し、解答ＡＮの正否を画像形成装置１００に送信することが可能になる。したがって、スマートフォン３００から受信した解答ＡＮの正否に基づいて採点できるため、文字認識処理において解答画像ＭＡからテキストデータを生成できない場合であっても解答ＡＮを採点できる。
【００７３】
また、通知部５０４は、問題情報ＰＲＪのアクセス先を示す第２リンク情報ＬＮ２をスマートフォン３００に送信する。問題情報ＰＲＪは、テキストデータを生成できないと判断された解答ＡＮに対応する。したがって、問題情報ＰＲＪに基づいて解答ＡＮの正否を判断できるため、スマートフォン３００の使用者が、解答ＡＮの正否を適正に判断できる。
【００７４】
更に、通知部５０４は、テキストデータを生成できないと判断された解答ＡＮに対応する模範解答情報ＡＳＪのアクセス先を示す第３リンク情報ＬＮ３をスマートフォン３００に送信する。したがって、模範解答情報ＡＳＪに基づいて解答ＡＮの正否を判断できるため、スマートフォン３００の使用者が、解答ＡＮの正否を更に迅速且つ適正に判断できる。
【００７５】
次に、図１〜図７を参照して、図６とは別の通知画面７００について説明する。図７は、図６とは別の通知画面７００を示す画面図である。通知画面７００は、図６に示す通知画面６００と比較して、同一の解答者に関する複数の第１リンク情報ＬＮ１をまとめて表示する点で相違している。
【００７６】
通知画面７００には、第１メッセージ表示部７１１と、第１表示部７１０と、第２表示部７２０と、第３表示部７３０と、状態表示部７１６とが表示されている。第１表示部７１０は、解答リンク表示部７１２、問題リンク表示部７１３、模範解答リンク表示部７１４及び第２メッセージ表示部７１５を含む。
【００７７】
第１メッセージ表示部７１１は、スマートフォン３００の使用者に対して、同一の解答者に関する複数の解答ＡＮを採点できない旨を表示する。具体的には、第１メッセージ表示部７１１には、「氏名（ＡＢＣ  ＤＥＦ）の下記の解答が読み取れません。」と表示され、氏名（ＡＢＣ  ＤＥＦ）の複数の解答ＡＮについて、文字認識処理においてテキストデータが生成できないことが示されている。複数の解答ＡＮは、例えば、３つの解答ＡＮである。
【００７８】
解答リンク表示部７１２は、文字認識処理においてテキストデータが生成できない解答画像情報ＭＡＪのアクセス先を表示する。解答画像情報ＭＡＪのアクセス先は、「第１リンク情報」に相当する。ユーザーが解答リンク表示部７１２をタッチすると、スマートフォン３００は、解答画像情報ＭＡＪを画像形成装置１００から取得し、解答画像ＭＡをタッチパネルに表示する。
【００７９】
問題リンク表示部７１３は、解答リンク表示部７１２に示す解答ＡＮに対応する問題ＰＲのアクセス先を表示する。問題ＰＲのアクセス先は、「第２リンク情報」に対応する。ユーザーが問題リンク表示部７１３をタッチすると、スマートフォン３００は、問題情報ＰＲＪを画像形成装置１００から取得し、問題情報ＰＲＪを示す画像をタッチパネルに表示する。
【００８０】
模範解答リンク表示部７１４は、解答リンク表示部７１２に示す解答ＡＮに対応する模範解答ＡＳのアクセス先を表示する。模範解答ＡＳのアクセス先は、「第３リンク情報」に対応する。ユーザーが模範解答リンク表示部７１４をタッチすると、スマートフォン３００は、模範解答情報ＡＳＪを画像形成装置１００から取得し、模範解答情報ＡＳＪを示す画像をタッチパネルに表示する。
【００８１】
第２メッセージ表示部７１５は、スマートフォン３００の使用者に対して、解答ＡＮの採点を依頼する旨を表示する。具体的には、第２メッセージ表示部７１５には、「正解の場合は○、不正解の場合は×をタッチしてください。」と表示され、スマートフォン３００の使用者に対して、「○」又は「×」をタッチして採点するよう促す。
【００８２】
第２表示部７２０及び第３表示部７３０にも、第１表示部７１０と同様の内容が表示される。すなわち、第２表示部７２０は、解答リンク表示部７２２、問題リンク表示部７２３、模範解答リンク表示部７２４及び第２メッセージ表示部７２５を含む。また、第３表示部７３０は、解答リンク表示部７３２、問題リンク表示部７３３、模範解答リンク表示部７３４及び第２メッセージ表示部７２５を含む。なお、第１表示部７１０、第２表示部７２０及び第３表示部７３０は、互いに相違する解答ＡＮに対応する。
【００８３】
通知部５０４は、同一の解答者識別情報ＡＩＤに関する複数の解答画像情報ＭＡＪのそれぞれに対応する第１リンク情報ＬＮ１をまとめてスマートフォン３００に送信する。本発明の実施形態では、解答者識別情報ＡＩＤは、解答者の氏名情報に対応する。また、複数の解答画像情報ＭＡＪは、例えば、３つの解答画像情報ＭＡＪである。更に具体的には、通知部５０４は、同一の解答者識別情報ＡＩＤに関する３つの解答画像情報ＭＡＪのそれぞれに対応する第１リンク情報ＬＮ１、第２リンク情報ＬＮ２及び第３リンク情報ＬＮ３をまとめてスマートフォン３００に送信する。
【００８４】
状態表示部７１６は、第１表示部７１０〜第３表示部７３０の状態を表示する。具体的には、状態表示部７１６は、画像形成装置１００から解答画像情報ＭＡＪのアクセス先、問題ＰＲのアクセス先、及び模範解答ＡＳのアクセス先を受信した日付、及びスマートフォン３００の使用者が応答したか否かを表示する。例えば、日付は、「１０月２０日」であり、応答したか否かは、「未応答」である。
【００８５】
以上、図１〜図７を参照して説明したように、本発明の実施形態では、通知部５０４は、同一の解答者に関する複数の第１リンク情報ＬＮ１をまとめてスマートフォン３００に送信する。第１リンク情報ＬＮ１は、同一の解答者識別情報ＡＩＤに関する複数の解答画像情報のそれぞれに対応する。よって、同一の解答者に関して、第１リンク情報ＬＮ１をまとめてスマートフォン３００に送信できる。したがって、スマートフォン３００のタッチパネルに、同一の解答者に関して複数の第１リンク情報ＬＮ１をまとめて表示できるため、スマートフォン３００の使用者が、解答ＡＮの正否を迅速に判断できる。
【００８６】
また、通知部５０４は、同一の解答者に関する複数の第１リンク情報ＬＮ１、複数の第２リンク情報ＬＮ２及び複数の第３リンク情報ＬＮ３をまとめてスマートフォン３００に送信する。第２リンク情報ＬＮ２は、同一の解答者識別情報ＡＩＤの複数の問題情報ＰＲＪにそれぞれ対応する。第３リンク情報ＬＮ３は、同一の解答者識別情報ＡＩＤの複数の模範解答情報ＡＳＪにそれぞれ対応する。したがって、問題情報ＰＲＪ及び模範解答情報ＡＳＪに基づいて複数の解答ＡＮの正否を判断できるため、スマートフォン３００の使用者が、解答ＡＮの正否を更に迅速且つ適正に判断できる。
【００８７】
以上、図１〜図７を参照して説明したように、本発明の実施形態では、通知部５０４が、同一の解答者識別情報ＡＩＤに関する複数の解答画像情報ＭＡＪのそれぞれに対応する第１リンク情報ＬＮ１、第２リンク情報ＬＮ２及び第３リンク情報ＬＮ３をまとめてスマートフォン３００に送信するが、本発明はこれに限定されない。通知部５０４は、同一の解答者に関する第１リンク情報ＬＮ１をまとめてスマートフォン３００に送信すればよい。例えば、通知部５０４が、同一の解答者に関する複数の第１リンク情報ＬＮ１及び複数の第３リンク情報ＬＮ３をまとめてスマートフォン３００に送信し、第２リンク情報ＬＮ２はスマートフォン３００に送信しない形態でもよい。この形態では、画像形成装置１００からスマートフォン３００に送信する情報量を削減できる。
【００８８】
また、図１〜図７を参照して説明したように、本発明の実施形態では、解答者識別情報ＡＩＤが、解答者の氏名情報に対応するが、本発明はこれに限定されない。解答者識別情報ＡＩＤが、解答者を識別可能な情報であればよい。例えば、解答者識別情報ＡＩＤが、解答者のクラス名情報、及び出席番号情報である形態でもよい。この形態では、クラス名情報、及び出席番号情報がアルファベット又は番号で表わされるため、文字認識部５０２が、画像情報ＭＪから解答者識別情報ＡＩＤを確実に生成できる。
【００８９】
次に、図１〜図８を参照して、図６及び図７とは別の通知画面８００について説明する。図８は、図６及び図７とは別の通知画面８００を示す画面図である。通知画面８００は、図６に示す通知画面６００及び図７に示す通知画面７００と比較して、同一の問題ＰＲに関する複数の第１リンク情報ＬＮ１をまとめて表示する点で相違している。
【００９０】
通知画面８００には、第１メッセージ表示部８１１と、問題リンク表示部８１２と、模範解答リンク表示部８１３と、第１表示部８２０と、第２表示部８３０と、第３表示部８４０と、状態表示部８１６とが表示されている。第１表示部８２０は、第３メッセージ表示部８２１、解答リンク表示部８２２及び第２メッセージ表示部８２３を含む。
【００９１】
問題リンク表示部８１２は、文字認識処理においてテキストデータが生成できない解答ＡＮに対応する問題ＰＲのアクセス先を表示する。問題ＰＲのアクセス先は、「第２リンク情報」に対応する。ユーザーが問題リンク表示部８１２をタッチすると、スマートフォン３００は、問題情報ＰＲＪを画像形成装置１００から取得し、問題情報ＰＲＪを示す画像をタッチパネルに表示する。
【００９２】
模範解答リンク表示部８１３は、文字認識処理においてテキストデータが生成できない解答ＡＮに対応する模範解答ＡＳのアクセス先を表示する。模範解答ＡＳのアクセス先は、「第３リンク情報」に対応する。ユーザーが模範解答リンク表示部８１３をタッチすると、スマートフォン３００は、模範解答情報ＡＳＪを画像形成装置１００から取得し、模範解答情報ＡＳＪを示す画像をタッチパネルに表示する。
【００９３】
第１メッセージ表示部８１１は、スマートフォン３００の使用者に対して、同一の問題ＰＲについて複数の解答者の解答ＡＮを採点できない旨を表示する。具体的には、第１メッセージ表示部８１１には、「下記の解答が読み取れません。」と表示され、問題リンク表示部８１２に示す問題ＰＲに対する複数の解答者の解答ＡＮについて、文字認識処理においてテキストデータが生成できないことが示されている。
【００９４】
第３メッセージ表示部８２１は、解答者識別情報ＡＩＤを示す画像が表示される。具体的には、第３メッセージ表示部８２１には、「氏名（ＡＡＡ  ＡＡＡ）」と表示され、解答者が氏名（ＡＡＡ  ＡＡＡ）である解答ＡＮについて、文字認識処理においてテキストデータが生成できないことが示されている。
【００９５】
解答リンク表示部８２２は、文字認識処理においてテキストデータが生成できない解答画像情報ＭＡＪのアクセス先を表示する。解答画像情報ＭＡＪのアクセス先は、「第１リンク情報」に相当する。ユーザーが解答リンク表示部８２２をタッチすると、スマートフォン３００は、解答画像情報ＭＡＪを画像形成装置１００から取得し、解答画像ＭＡをタッチパネルに表示する。
【００９６】
第２メッセージ表示部８２３は、スマートフォン３００の使用者に対して、解答ＡＮの採点を依頼する旨を表示する。具体的には、第２メッセージ表示部８２３には、「正解の場合は○、不正解の場合は×をタッチしてください。」と表示され、スマートフォン３００の使用者に対して、「○」又は「×」をタッチして採点するよう促す。
【００９７】
第２表示部８３０及び第３表示部８４０にも、第１表示部８２０と同様の内容が表示される。すなわち、第２表示部８３０は、第３メッセージ表示部８３１、解答リンク表示部８３２及び第２メッセージ表示部８３３を含む。また、第３表示部８４０は、第３メッセージ表示部８４１、解答リンク表示部８４２及び第２メッセージ表示部８４３を含む。第１表示部８２０、第２表示部８３０及び第３表示部８４０は、互いに相違する解答者の解答ＡＮに対応する。
【００９８】
具体的には、通知部５０４は、同一の問題識別情報ＰＩＤに関する複数の解答画像情報ＭＡＪにそれぞれ対応する第１リンク情報ＬＮ１をまとめてスマートフォン３００に送信する。更に具体的には、通知部５０４は、同一の問題識別情報ＰＩＤに関する複数の解答画像情報ＭＡＪにそれぞれに対応する複数の第１リンク情報ＬＮ１、複数の第２リンク情報ＬＮ２及び複数の第３リンク情報ＬＮ３をまとめてスマートフォン３００に送信する。
【００９９】
状態表示部８１６は、第１表示部８２０〜第３表示部８４０の状態を表示する。具体的には、状態表示部８１６は、画像形成装置１００から解答画像情報ＭＡＪのアクセス先を受信した日付、及びスマートフォン３００の使用者が応答したか否かを表示する。例えば、日付は、「１０月２５日」であり、応答したか否かは、「未応答」である。
【０１００】
以上、図１〜図８を参照して説明したように、本発明の実施形態では、通知部５０４は、同一の問題ＰＲに関する複数の第１リンク情報ＬＮ１をまとめてスマートフォン３００に送信する。第１リンク情報ＬＮ１は、同一の問題識別情報ＰＩＤに関する解答画像情報にそれぞれ対応する。よって、同一の問題ＰＲに関して、複数の解答者の解答ＡＮに対応する第１リンク情報ＬＮ１をまとめてスマートフォン３００に送信できる。したがって、スマートフォン３００のタッチパネルに、同一の問題ＰＲに関して第１リンク情報ＬＮ１をまとめて表示できるため、スマートフォン３００の使用者が、解答ＡＮの正否を迅速に判断できる。
【０１０１】
また、通知部５０４は、同一の問題ＰＲに関する複数の解答ＡＮに対応する第１リンク情報ＬＮ１、第２リンク情報ＬＮ２及び第３リンク情報ＬＮ３をまとめてスマートフォン３００に送信する。第２リンク情報ＬＮ２は、問題ＰＲの問題情報ＰＲＪに対応する。第３リンク情報ＬＮ３は、問題ＰＲの模範解答情報ＡＳＪに対応する。したがって、問題情報ＰＲＪ及び模範解答情報ＡＳＪに基づいて解答画像情報ＭＡＪの正否を判断できるため、スマートフォン３００の使用者が、解答ＡＮの正否を更に迅速且つ適正に判断できる。
【０１０２】
以上、図１〜図８を参照して説明したように、本発明の実施形態では、通知部５０４が、同一の問題ＰＲに関する複数の解答者の解答画像情報にそれぞれ対応する第１リンク情報ＬＮ１と、第２リンク情報ＬＮ２及び第３リンク情報ＬＮ３とをスマートフォン３００に送信するが、本発明はこれに限定されない。通知部５０４は、同一の問題ＰＲに関する複数の解答者の解答に対応する複数の第１リンク情報ＬＮ１をまとめてスマートフォン３００に送信すればよい。例えば、通知部５０４が、複数の第１リンク情報ＬＮ１と複数の第３リンク情報ＬＮ３とをスマートフォン３００に送信するが、第２リンク情報ＬＮ２はスマートフォン３００に送信しない形態でもよい。この形態では、画像形成装置１００からスマートフォン３００に送信する情報量を削減できる。
【０１０３】
次に、図１〜図９を参照して、制御部５の処理について説明する。図９は、制御部５の処理の一例を示すフローチャートである。
図９に示すように、まず、ステップＳ１０１において、読取部５０１が原稿Ｒに形成された画像を読み取り、画像情報ＭＪを生成する。原稿Ｒには、問題ＰＲに対する解答ＡＮが記入されている。
次に、ステップＳ１０３において、文字認識部５０２が、画像情報ＭＪに対して文字認識処理を施し、解答ＡＮに対応するテキストデータＡＮＪを生成する。
次に、ステップＳ１０５において、取得部５０３が解答者識別情報ＡＩＤを取得する。具体的には、取得部５０３は、画像情報ＭＪに含まれる氏名を示す画像情報に基づき、解答者識別情報ＡＩＤを取得する。
次に、ステップＳ１０７において、取得部５０３が問題識別情報ＰＩＤを取得する。具体的には、取得部５０３は、画像情報ＭＪに含まれる問題識別番号の画像に基づき、問題識別情報ＰＩＤを取得する。
次に、ステップＳ１０９において、制御部５は、問題ＰＲがサーバー装置２００に記憶されているか否かを判定する。具体的には、制御部５は、問題識別情報ＰＩＤに基づいて、問題ＰＲがサーバー装置２００に記憶されている複数の問題ＰＲのいずれかと一致するか否かを判定する。
問題ＰＲがサーバー装置２００に記憶されていないと制御部５が判定した場合（ステップＳ１０９でＮＯ）には、処理が終了する。問題ＰＲがサーバー装置２００に記憶されていると制御部５が判定した場合（ステップＳ１０９でＹＥＳ）には、処理がステップＳ１１１に進む。
【０１０４】
そして、ステップＳ１１１において、文字認識部５０２が、画像情報ＭＪに対して文字認識処理を施し、解答ＡＮに対応するテキストデータＡＮＪを生成する。
次に、ステップＳ１１３において、文字認識部５０２が、テキストデータＡＮＪを生成できたか否かを判定する。
テキストデータＡＮＪを生成できたと文字認識部５０２が判定した場合（ステップＳ１１３でＹＥＳ）には、処理がステップＳ１２１に進む。テキストデータＡＮＪを生成できなかったと文字認識部５０２が判定した場合（ステップＳ１１３でＮＯ）には、処理がステップＳ１１５に進む。
そして、ステップＳ１１５において、制御部５が「問合せ処理」を実行する。「問合せ処理」は、制御部５がスマートフォン３００に対して、解答ＡＮが正解であるか否かを問い合わせる処理を示す。
次に、ステップＳ１１７において、制御部５が、「問合せ処理」を開始してから所定時間が経過したか否かを判定する。所定時間は、例えば５分である。
所定時間が経過していないと制御部５が判定した場合（ステップＳ１１７でＮＯ）には、処理がステップＳ１１５に戻る。所定時間が経過したと制御部５が判定した場合（ステップＳ１１７でＹＥＳ）には、処理がステップＳ１１９に進む。
そして、ステップＳ１１９において、制御部５が解答ＡＮの採点を保留し、処理がステップＳ１２３に進む。
【０１０５】
ステップＳ１１３でＹＥＳの場合には、ステップＳ１２１において、採点部５０５が、テキストデータＡＮＪに基づき解答ＡＮを採点する。
次に、ステップＳ１２３において、制御部５が、全ての解答ＡＮの採点が完了したか否かを判定する。
採点が完了していないと制御部５が判定した場合（ステップＳ１２３でＮＯ）には、処理がステップＳ１０７に戻る。採点が完了したと制御部５が判定した場合（ステップＳ１２３でＹＥＳ）には、処理がステップＳ１２５に進む。
そして、ステップＳ１２５において、制御部５が採点結果をサーバー装置２００に送信し、処理が終了する。
【０１０６】
以上、図１〜図９を参照して説明したように、本発明の実施形態では、「問合せ処理」を開始してから所定時間が経過した場合に、制御部５が解答ＡＮの採点を保留する。よって、解答ＡＮのテキストデータＡＮＪを生成できなかった場合にも、他の解答ＡＮの採点を行うことができる。したがって、効率的に採点を行うことができる。
【０１０７】
なお、制御部５が解答ＡＮの採点を保留した場合に、制御部５は、この解答ＡＮに関して、スマートフォン３００からの応答を受信しているか否かを所定時間毎（例えば、５分毎）に確認することが好ましい。スマートフォン３００からの応答を受信している場合には、採点が可能となる。
【０１０８】
次に、図１〜図１０を参照して、「問合せ処理」について説明する。図１０は、制御部５の「問合せ処理」の一例を示すフローチャートである。
図１０に示すように、まず、ステップＳ２０１において、制御部５が解答画像情報ＭＡＪを取得する。具体的には、制御部５は、画像情報ＭＪに基づき、解答ＡＮが記入されている領域の画像を解答画像情報ＭＡＪとして取得する。
次に、ステップＳ２０３において、制御部５が解答画像情報ＭＡＪを記憶部５Ｂに記憶する。
次に、ステップＳ２０５において、制御部５は、第１リンク情報ＬＮ１を生成する。第１リンク情報ＬＮ１は、解答画像情報ＭＡＪのアクセス先を示す。
次に、ステップＳ２０７において、制御部５は、第２リンク情報ＬＮ２を生成する。第２リンク情報ＬＮ２は、問題情報ＰＲＪのアクセス先を示す。
次に、ステップＳ２０９において、制御部５は、第３リンク情報ＬＮ３を生成する。第３リンク情報ＬＮ３は、模範解答情報ＡＳＪのアクセス先を示す。
【０１０９】
次に、ステップＳ２１１において、通知部５０４は、解答者識別情報ＡＩＤ、第１リンク情報ＬＮ１、第２リンク情報ＬＮ２及び第３リンク情報ＬＮ３をスマートフォン３００に送信する。
次に、ステップＳ２１３において、採点部５０５が、スマートフォン３００からの応答を受信したか否かを判定する。
スマートフォン３００からの応答を受信していないと採点部５０５が判定した場合（ステップＳ２１３でＮＯ）には、処理が図９のステップＳ１１７に戻る。スマートフォン３００からの応答を受信したと採点部５０５が判定した場合（ステップＳ２１３でＹＥＳ）には、処理がステップＳ２１５に進む。
そして、ステップＳ２１５において、採点部５０５が、スマートフォン３００からの応答に基づき、解答ＡＮを採点し、処理が図９のステップＳ１２３に進む。
【０１１０】
以上、図１〜図１０を参照して説明したように、本発明の実施形態では、採点部５０５は、スマートフォン３００からの応答を受信し、応答に基づき解答ＡＮを採点する。したがって、例えば、スマートフォン３００の使用者から解答ＡＮの正否を示す情報を受信することによって、応答に基づき解答ＡＮを容易に採点できる。
【０１１１】
次に、図１〜図１１を参照して、「問題生成処理」について説明する。図１１は、制御部５の「問題生成処理」の一例を示すフローチャートである。「問題生成処理」は、ユーザー（例えば、生徒）からの操作に基づいて、問題画像ＭＰＲを用紙Ｐに形成する処理を示す。
【０１１２】
図１１に示すように、まず、ステップＳ３０１において、制御部５は、ユーザーによるタッチパネル４１の操作に基づいて、解答者識別情報ＡＩＤを受け付ける。
次に、ステップＳ３０３において、制御部５は、ユーザーによるタッチパネル４１の操作に基づいて、不得意分野の克服のための問題画像ＭＰＲを用紙Ｐに形成するか否かを判定する。
不得意分野の克服のための問題画像ＭＰＲを用紙Ｐに形成しないと制御部５が判定した場合（ステップＳ３０３でＮＯ）には、処理がステップＳ３０５に進む。
そして、ステップＳ３０５において、制御部５は、解答者識別情報ＡＩＤに基づき、サーバー装置２００から問題情報ＰＲＪを取得し、処理がステップＳ３１３に進む。
不得意分野の克服のための問題画像ＭＰＲを用紙Ｐに形成すると制御部５が判定した場合（ステップＳ３０３でＹＥＳ）には、処理がステップＳ３０７に進む。
そして、ステップＳ３０７において、制御部５は、解答者識別情報ＡＩＤに基づき、サーバー装置２００から不得意分野情報を取得し、タッチパネル４１に不得意分野を示す画像を表示する。
【０１１３】
次に、ステップＳ３０９において、制御部５は、ユーザーによるタッチパネル４１の操作に基づいて、不得意分野の選択を受け付けたか否かを判定する。
不得意分野の選択を受け付けていないと制御部５が判定した場合（ステップＳ３０９でＮＯ）には、処理が待機状態になる。不得意分野の選択を受け付けたと制御部５が判定した場合（ステップＳ３０９でＹＥＳ）には、処理がステップＳ３１１に進む。
そして、ステップＳ３１１において、取得部５０３は、サーバー装置２００から不得意分野の問題情報ＰＲＪを取得する。
次に、ステップＳ３１３において、指示部５０８は、問題情報ＰＲＪの画像を用紙Ｐに形成するよう画像形成ユニット１に対して指示する。
そして、ステップＳ３１５において、制御部５は、問題生成日時情報をサーバー装置２００に送信し、処理が終了する。問題生成日時情報は、問題情報ＰＲＪの画像が用紙Ｐに形成された日時を示す。
【０１１４】
以上、図１〜図１１を参照して説明したように、本発明の実施形態では、取得部５０３が、不得意分野に含まれる問題を示す問題情報ＰＲＪをサーバー装置２００から取得し、取得した問題情報ＰＲＪを示す問題画像を画像形成ユニット１が用紙Ｐに形成する。したがって、不得意分野に含まれる問題ＰＲの画像が用紙Ｐに形成されるため、解答者は、不得意分野の克服を図ることが可能になる。
【０１１５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１１６】
（１）図１〜図３を参照して説明したように、画像読取装置が画像形成装置１００として構成されるが、本発明はこれに限定されない。画像読取装置が、少なくとも、画像読取ユニット２及び制御部５を備えていればよい。また、画像読取装置が、原稿搬送ユニット３を更に備える形態が好ましい。この形態では、原稿搬送ユニット３が搬送した原稿Ｒを画像読取ユニット２が読み取ることができる。更に、画像読取装置が、操作表示部４を備えることが好ましい。
【０１１７】
（２）図１〜図５を参照して説明したように、解答用紙５５０に問題欄５５１〜５５３が印刷されているが、本発明はこれに限定されない。解答用紙５５０には氏名欄５６０と解答欄５６１〜５６３とが印刷されている形態であればよい。
【産業上の利用可能性】
【０１１８】
本発明は、画像読取装置、及び画像形成装置の分野に利用可能である。
【符号の説明】
【０１１９】
１００    画像形成装置
１    画像形成ユニット（画像形成部の一部）
２    画像読取ユニット（画像読取装置の一部）
３    原稿搬送ユニット
４    操作表示部
４１    タッチパネル
５    制御部（画像読取装置の一部）
５Ａ    プロセッサー
５０１    読取部
５０２    文字認識部
５０３    取得部
５０４    通知部
５０５    採点部
５０６    測定部
５０７    判定部
５０８    指示部（画像形成部の一部）
５Ｂ    記憶部
２００    サーバー装置
３００    スマートフォン
４００    ネットワーク
ＡＮ    解答
ＡＮＪ    テキストデータ
ＡＳＪ    模範解答情報
ＬＮ１    第１リンク情報
ＬＮ２    第２リンク情報
ＬＮ３    第３リンク情報
ＭＪ    画像情報
ＭＡ    解答画像
ＭＡＪ    解答画像情報
ＰＲ    問題
ＰＲＪ    問題情報
ＰＩＤ    問題識別情報
Ｒ    原稿
【図１】
2018170660.tif 000003
【図２】
2018170660.tif 000004
【図３】
2018170660.tif 000005
【図４】
2018170660.tif 000006
【図５】
2018170660.tif 000007
【図６】
2018170660.tif 000008
【図７】
2018170660.tif 000009
【図８】
2018170660.tif 000010
【図９】
2018170660.tif 000011
【図１０】
2018170660.tif 000012
【図１１】
2018170660.tif 000013